(57)【特許請求の範囲】
【請求項１】
袋正面から一方の袋側面を経て袋背面に亘って位置した一枚の本体シートと他方の袋側面に位置して一方の袋側面側に折り込み可能に設けられた一枚のマチシートとで袋胴部が形成されていて、この袋胴部における本体シートの側辺とマチシートの側辺とをヒートシールしてなる側辺シール部分を備えるとともに、前記袋胴部の下部には折り込んだ前記マチシートを間にして二つ折りにより相対した本体シートの下辺に沿ってヒートシールしてなる下辺シール部分を備えた袋体に、注出口栓を取り付け、収容物の充填を行ない、袋胴部の上部をヒートシールして、注出口栓付き自立包装袋を製造するにあたり、
注出口栓取付前の袋体の前記下辺シール部分は、袋胴部の前記一方の袋側面側となる部分での高さ方向に対する傾斜角度を鋭角で袋胴部の前記一方の袋側面側に向けて下り傾斜にして設けられていて、
注出口栓取付前の袋体での注出口栓が取り付けられる側であって袋胴部における前記一方の袋側面となる側に袋底部形成手段を挿入して、この袋底部形成手段の袋胴部の下部への配置によって袋正面と袋背面との間を広げて一方の袋側面を展開するとともに、前記下辺シール部分を間にして袋正面下部と袋背面下部とを平面方向に展開した袋底部を形成し、
前記袋底部の形成で前記一方の袋側面下部が前記袋正面下部と前記袋背面下部とに重なってなる三角形状部分を、前記袋底部形成手段を袋底部に対応位置させた状態でヒートシールして、袋底部の一方の袋側面側に、前記ヒートシールされた三角形状部分の基端であって前記袋正面と袋背面との対向方向に沿うシール辺を形成し、
前記袋底部形成手段を袋胴部から退避させた後に、袋胴部の上部での前記一方の袋側面の上辺となる部分に上記注出口栓の取り付けを行なうことを特徴とする注出口栓付き自立包装袋の製造方法。
【請求項２】
ヒートシールした三角形状部分での上記基端の部分以外を切除して、上記シール辺を袋正面と袋背面との対向方向に沿う細幅の帯状にする請求項１に記載の注出口栓付き自立包装袋の製造方法。
【請求項３】
上記三角形状部分を、該三角形状部分の上記基端に上記袋底部形成手段を対応位置させた状態で袋底部の下面側に折り重ねて、
前記三角形状部分とこの三角形状部分が重なる袋底部とを、袋胴部の内部に配置の前記袋底部形成手段と圧着手段とで挟み込んで、三角形状部分を袋底部の下面に圧着する請求項１に記載の注出口付自立包装袋の製造方法。
【請求項４】
袋底部の上記下辺シール部分が位置している部分への上記三角形状部分の折り重ねにより、三角形状部分の下面に下辺シール部分を非表出にする請求項３に記載の注出口栓付き自立包装袋の製造方法。
【請求項５】
注出口栓取付前の袋体が扁平とされている状態での側辺シール部分に対して取っ手を設ける請求項１から４の何れか一項に記載の注出口栓付き自立包装袋の製造方法。
【発明の詳細な説明】
【技術分野】
【０００１】
本発明は、シャンプー、リンス、液体洗剤などのトイレタリー製品の詰め替え容器やそのトイレタリー製品を充填した一次容器、調味料を収容した一次容器、他の液体製品の一次容器や詰め替え容器などである自立包装袋であって、シーラント層を片面に有する積層構成の合成樹脂製シートを所要部分でヒートシールして上部隅に注出口栓を有する自立性が良好な自立包装袋の製造方法に関するものである。
【背景技術】
【０００２】
合成樹脂製シートの所要部分をヒートシールして収容物、例えば液体などを収容することができる包装袋が従来から各種提案されている。そして、このような包装袋の内、広がりのある袋底部を袋胴部の下部として備えて自立できる包装袋がある。
【０００３】
例えば特許文献１に示されている包装袋ではピロータイプの製袋の応用からなるものであって、一枚の合成樹脂製シートを筒状にしてそのシートの縦方向の側辺同士を袋胴部での袋背面側で重ね合わせてヒートシールするとともに、袋胴部の下部でその袋胴部が扁平になるように重ね合わせて相対するシートの下辺同士をヒートシールしている。そして、袋胴部での袋正面と袋背面とを離間することで、下辺同士をヒートシールした部分が中心となるようにして袋正面側から袋底に回り込むシートと袋背面側から袋底に回り込むシートとで広がりのある袋底を形成している。
【０００４】
さらに下辺同士をヒートシールした部分に沿った方向で対向する部分それぞれでは、袋正面側と袋背面側とから回り込んだ上記シートと、袋側面での袋底側のシートとが重なり合って略三角形状に張り出る状態としている。そして、この三角形状となった部分の基端をヒートシールして余剰箇所を切除することで袋底を略矩形状にして自立できる状態としており、収容物を充填した後に袋胴部の上部を扁平にしてシートの上辺同士をヒートシールすることで封止している。
【０００５】
また、特許文献２に示されている収納袋では一枚のシートを扁平なスリーブ状にして縦シールのヒートシールを行なうとともに、一部分を内側に折り入れてマチとし、下辺を線状にヒートシールしてから充填により袋底が開いて自立性が付与され、上辺をヒートシールして封止するものである。
【０００６】
また、特許文献３では上記特許文献１と同じようにピロータイプの製袋の応用からなるものであって、袋底において側方に張り出る三角形状部分の基端をヒートシールして余剰部を切除して袋底を略矩形とした包装袋が示されているとともに、スリーブ状とした袋胴部での対向する袋側面となる箇所それぞれを内側に折り込んでマチを付けるガセット形態の包装袋が示されている。
【０００７】
また、特許文献４では袋の両側面となる部分それぞれにシートを折り込んでマチを構成するとともに、袋正面と袋側面との間及び袋背面と袋側面との間については縦方向にヒートシールを行なって自立性を向上させるようにしており、そして、片方の袋側面側のヒートシールされたサイドシールに取っ手を一体に形成した包装袋が示されている。
【０００８】
上述した従来の技術において特許文献３に示されている包装容器では注出口栓を袋上部に備えており、収容物を液体としたときにその液体を注出する時の注ぎ易さが向上するように図られていて、注出口栓の位置が袋上部の中央であることから収容物の充填は注出口栓を通して行なわれる。
【０００９】
また、注出口栓を有して液体や流動性のあるものを収容物として充填して得られる自立タイプの包装袋としてはスタンディングパウチタイプのものが従来から多く流通している。そして、このスタンディングパウチタイプの包装袋においては、特許文献５に示されているように収容物の充填を効率よく行えるようにするために、注出口栓を袋上部の端部側に位置させて残りの袋上部の部分を充填口としているものが提案されている。
【００１０】
この特許文献５では、注出口栓を袋上部の端部に偏倚させたスタンディングパウチタイプの上記包装袋を製造するに際し、袋上部の充填口とする未シール部分をバキュームキャップで開いてから収容物の充填を行なっている。スタンディングパウチタイプの包装袋自体は未充填の状態では扁平であるが、収容物が充填されることで袋胴部が膨らみ、また底マチが折り入れられている袋底部にあっても収容物が充填されることによって、袋底部での袋正面のシートと袋背面のシートの間が開きながら底マチが展開され、自立性のある袋形態となる。そして充填の後に充填口としていた未シール部分をヒートシールすることで、注出口栓を備えて充填済みとされたスタンディングパウチタイプの包装袋が製造される。
【先行技術文献】
【特許文献】
【００１１】
【特許文献１】特開２００１−３２８６４４号公報
【特許文献２】特許第３３６４１６５号公報
【特許文献３】特開２００２−３０８２８９号公報
【特許文献４】特開平０８−０２６３０２号公報
【特許文献５】特開平０６−０４８４０１号公報
【発明の概要】
【発明が解決しようとする課題】
【００１２】
近年、合成樹脂製シートの所要部分をヒートシールして製袋される包装袋に関し、手で持って注出作業などができる重さの範囲でその収容量を大きくすることが望まれるようになってきている。
【００１３】
しかしながら、収容量の増大に応じて耐久性のある合成樹脂製シートを採用した場合、袋正面や袋背面に袋胴部を構成するシートを貼り合わせた縦のシール部分が位置するタイプの従来の包装袋では、このシール部分が袋底にも及ぶ構成となる。そして、この縦のシール部分の剛性が高いために曲がり難くなっていることから、収容物の充填に際して袋底に広がりが得られるように開いて充填を行なったとしても、前記シール部分があるシートとこれに連続する袋底とするシートとの間で適切な曲がりが生じないことから袋底が平面的に広がりのある形状とならずに自立し難い包装袋となる。
【００１４】
また、自立性を確保する方法としては袋底部に底マチを設け、袋側面のマチと底マチとを備える包装袋が検討されるが、合成樹脂製シートの貼り合わせによって得られる包装袋では底マチと袋側面のマチとが重なった部分から収容物の漏れが生じ易くなったり、重なった部分の落下衝撃性が極端に低くなって破袋してしまうという問題がある。
【００１５】
また、スタンディングパウチタイプの形態を採用した場合には自立性については良好になると考えられるが、展開される底マチが袋胴部の両側辺に向けて上り傾斜する曲面形状を呈していて収容量の増加をこの袋底部側の広がりでは図り難い。そのため、収容量を増やすには袋幅を広げるか、或いは袋の高さを高くするしかなく、このスタンディングパウチの形態では効率よく収容量を増やすことができないという問題があった。
【００１６】
そこで本発明は上記事情に鑑み、袋胴部にマチを設けることで袋底に平面的な広がりを形成し易くなる点を活かしつつ、袋胴部での袋正面中央や袋背面中央に設けられる縦シールが袋底に及ぶ構成とならない包装袋を製造することを課題とし、平面的な広がりを有する袋底を備えて自立性が良好な包装袋を提供することを目的とするものである。
【課題を解決するための手段】
【００１７】
（請求項１の発明）
本発明は上記課題を考慮してなされたもので、袋正面から一方の袋側面を経て袋背面に亘って位置した一枚の本体シートと他方の袋側面に位置して一方の袋側面側に折り込み可能に設けられた一枚のマチシートとで袋胴部が形成されていて、この袋胴部における本体シートの側辺とマチシートの側辺とをヒートシールしてなる側辺シール部分を備えるとともに、前記袋胴部の下部には折り込んだ前記マチシートを間にして二つ折りにより相対した本体シートの下辺に沿ってヒートシールしてなる下辺シール部分を備えた袋体に、注出口栓を取り付け、収容物の充填を行ない、袋胴部の上部をヒートシールして、注出口栓付き自立包装袋を製造するにあたり、
注出口栓取付前の袋体の前記下辺シール部分は、袋胴部の前記一方の袋側面側となる部分での高さ方向に対する傾斜角度を鋭角で袋胴部の前記一方の袋側面側に向けて下り傾斜にして設けられていて、
注出口栓取付前の袋体での注出口栓が取り付けられる側であって袋胴部における前記一方の袋側面となる側に袋底部形成手段を挿入して、この袋底部形成手段の袋胴部の下部への配置によって袋正面と袋背面との間を広げて一方の袋側面を展開するとともに、前記下辺シール部分を間にして袋正面下部と袋背面下部とを平面方向に展開した袋底部を形成し、
前記袋底部の形成で前記一方の袋側面下部が前記袋正面下部と前記袋背面下部とに重なってなる三角形状部分を、前記袋底部形成手段を袋底部に対応位置させた状態でヒートシールして、袋底部の一方の袋側面側に、前記ヒートシールされた三角形状部分の基端であって前記袋正面と袋背面との対向方向に沿うシール辺を形成し、
前記袋底部形成手段を袋胴部から退避させた後に、袋胴部の上部での前記一方の袋側面の上辺となる部分に上記注出口栓の取り付けを行なうことを特徴とする注出口栓付き自立包装袋の製造方法を提供して、上記課題を解消するものである。
【００１８】
（請求項２の発明）
そして、本発明では、ヒートシールした三角形状部分での上記基端の部分以外を切除して、上記シール辺を袋正面と袋背面との対向方向に沿う細幅の帯状にすることが良好である。
【００１９】
（請求項３の発明）
また、本発明では、上記三角形状部分を、該三角形状部分の上記基端に上記袋底部形成手段を対応位置させた状態で袋底部の下面側に折り重ねて、
前記三角形状部分とこの三角形状部分が重なる袋底部とを、袋胴部の内部に配置の前記袋底部形成手段と圧着手段とで挟み込んで、三角形状部分を袋底部の下面に圧着することが良好である。
【００２０】
（請求項４の発明）
また、本発明では、袋底部の上記下辺シール部分が位置している部分への上記三角形状部分の折り重ねにより、三角形状部分の下面に下辺シール部分を非表出にすることが良好である。
【００２２】
（請求項５の発明）
また、本発明では、注出口栓取付前の袋体が扁平とされている状態での側辺シール部分に対して取っ手を設けることが良好である。
【発明の効果】
【００２３】
（請求項１の発明の効果）
請求項１の発明によれば、袋胴部の下部に袋底部形成手段を挿入して袋底部を展開することで形成される袋側面下部側の三角形状部分をヒートシールして、その三角形状部分の基端をシール辺とし、そのシール辺を袋正面と袋背面との対向方向に沿うように形成していることから、一方の袋側面の下辺として前記シール辺を備えることとなるとともに、袋底部においても一方の袋側面側の辺に前記シール辺を備えることになる。
【００２４】
そしてシール辺やこのシール辺を含む三角形状部分は剛性が高くなっており、この部位が袋正面と袋背面とが対向する方向に沿って位置するので、袋底部側で収容物に対する収容空間の拡大が確実に行なえる。また、製造された包装袋の前記シール辺が脚としてテーブルなどの上面に接して収容物を充填した状態でも良好な自立性が保たれるという優れた効果を奏する。さらに袋底部を展開した後に注出口栓を取り付けるので、袋底部形成手段と注出口栓との干渉を考慮する必要がなく、袋胴部への袋底部形成手段の挿入が簡単に行なえるという効果を奏する。
また、一方の袋側面の上辺となる部分に注出口栓を取り付けられるので、この注出口栓を取り付けた後で収容物を充填する際に開く充填口を袋胴部の上部に間口を広くして形成できるという効果を奏する。
【００２５】
（請求項２の発明の効果）
請求項２の発明によれば、袋正面と袋背面との対向方向に沿うシール辺が帯状となっているため、側方へ大きく張り出すことがなく、取り扱いが容易な包装袋が得られる。
【００２６】
（請求項３の発明の効果）
請求項３の発明によれば、三角形状部分をヒートシールすることでこの三角形状部分が薄板状となり、薄板状とされた三角形状部分を袋底部の下に折り重ねて固定していることから、袋底部の一方の袋側面側の広い領域の形状が潰れたり変形したりせずに安定したものとなる。
【００２７】
（請求項４の発明の効果）
請求項４の発明によれば、袋底部の三角形状部分が重なっている部分では下辺シート部分を非表出にしており、三角形状部分の下面（包装袋の下方側）において前記下辺シール部分が存在することによる凸凹がなくなる。よって、袋の自立性が向上する。
【００２９】
（請求項５の発明の効果）
請求項５の発明によれば、注出口栓取付前の袋体が扁平とされている状態での側辺シール部分に対して取っ手を設けるので、その取っ手自体を扁平な袋体に対する切り込みや打ち抜きなどで簡単に形成できるという効果を奏する。
【図面の簡単な説明】
【００３０】
【図１】本発明の一例によりなる自立包装袋を一方の袋側面の斜め上方から見た状態で示す説明図である。
【図２】同じく自立包装袋を他方の袋側面の斜め上方から見た状態で示す説明図である。
【図３】同じく自立包装袋を袋底部側から見た状態で示す説明図である。
【図４】自立包装袋における三角形状部分を示す説明図である。
【図５】袋体の形態で傾倒抑止手段が形成された状態を概略的に示す説明図である。
【図６】本発明の製造方法の一例を示すもので、（ａ）は袋体を示す説明図、（ｂ）は注出口栓を取り付ける部分をカットした状態を示す説明図、（ｃ）は袋底部形成手段を挿入した状態を示す説明図である。
【図７】同じく製造方法の一例を示すもので、（ｄ）は三角形状部分のヒートシールを示す説明図、（ｅ）は接着剤の塗布を示す説明図、（ｆ）は三角形状部分を折り重ねて圧着固定する状態を示す説明図である。
【図８】同じく製造方法の一例を示すもので、（ｇ）は袋底部形成手段が退避した袋体を示す説明図、（ｈ）は注出口栓を取り付けた状態を示す説明図、（ｉ）は収容物の充填を示す説明図である。
【図９】袋上部におけるヒートシールを示す説明図である。
【図１０】他の実施の例におけるシール辺の形成を示す説明図である。
【図１１】他の実施の例におけるシール辺の形成を斜め上方から見た状態で示す説明図である。
【発明を実施するための形態】
【００３１】
つぎに本発明を図１から図１１に示す実施の形態に基づいて詳細に説明する。図中１は自立包装袋で、該自立包装袋１は図１に示されているように袋胴部２の上部が袋幅方向に亘って扁平な状態にして閉じられていて、その一端側に注出口栓３が取り付けられているとともに、袋胴部２の下部は平面方向に広がりのある略矩形形状にして閉じられており、テーブルや棚などの上に置いたときに安定して自立できるようにしているものである。
【００３２】
そして、自立包装袋１は前記注出口栓３以外の部分が合成樹脂製シートからなるもので、この合成樹脂製シートは片面をシーラント層とした積層シートであって、所要部分をヒートシールして貼り合わせていて、この貼り合わせにて袋底部が形成され、上部も封止された袋状としている。なお、図１〜３においては説明を容易にするために収容物は図示していない。
【００３３】
（袋胴部）
上記袋胴部２は、袋正面４から一方の袋側面５を経て袋背面６に亘って位置する一枚の本体シート７と、前記一方の袋側面５と袋幅方向で相対する他方の袋側面８に位置してその一方の袋側面５側に折り込み可能とされた一枚のマチシート９とからなるものである。本体シート７とマチシート９とは共に同じ合成樹脂製シートであって、本体シート７とマチシート９との相対する辺部をヒートシールして袋胴部２が形成され、さらに本体シート７の側辺とこれにヒートシールにより貼り合わされているマチシート９の側辺との側辺シール部分１０それぞれが外方に延設され、図２に示すようにこの側辺シール部分１０それぞれに切り込みなどを行なって、手掛けできる取っ手１１を形成している。
【００３４】
（袋上部）
袋胴部２の上部には上述したように扁平な状態として閉じられている袋上部１２が形成されていて、二つ折りとした本体シート７の間にマチシート９を折り込んで配し、マチシート９を間にした状態で本体シート７の相対する上辺に沿ってヒートシールをして上辺シール部分１３を備えるとともに、前記ヒートシールに際して事前に一方の袋側面５側となる部分に上記注出口栓３の取付部を本体シート７の上辺の間に挟み込みして溶着することで、注出口栓３が上辺シール部分１３での一方の袋側面５側に有するようにして袋上部１２が形成されている。なお、袋上部１２での注出口栓３が取り付けられている部分以外の部分は、後述するように包装袋１に収容物を充填した後にヒートシールが行なわれる。
【００３５】
（袋底部）
袋胴部２の下部にはこの自立包装袋１をテーブルや棚などの平面に正置したときに自立することができるようにするために平面方向に広がった袋底部１４を形成して、この袋底部１４によって袋胴部２の下部が閉じられている。袋底部１４は、図３に示すように折り込んだマチシート９を間にして二つ折りにより相対した本体シート７の下辺に沿ってヒートシールをし、そのヒートシールによりなる下辺シール部分１５を備えている。この下辺シール部分１５を得るためのヒートシールは、マチシート９の取付のためのヒートシールと同時に行なうことが可能である。
【００３６】
そして、袋底部１４では、上記下辺シール部分１５の位置を通る立平面を中心として袋胴部２での袋正面４と袋背面６との間が開くように袋胴部２の内側を広げ、袋胴部２での袋正面４と袋背面６とを離間させることで、本体シート７における袋正面４につながる袋胴部２の下部側のシート部分１６（袋正面下部）と、袋背面６につながる袋胴部２の下部側のシート部分１７（袋背面下部）とが下辺シール部分１５側に向けて回り込むようになり、また、マチシート９における他方の袋側面８につながる袋胴部２の下部側のシート部分１８も下辺シール部分側に向けて回り込むようになり、これによって袋底部１４を、袋正面４と袋背面６とが離間した方向と袋幅方向とに広がってなる略矩形状に形成している。（図４参照）
【００３７】
袋底部１４での一方の袋側面５側には、剛性が高められた三角形状部分１９を上記袋正面４と袋背面６との離間方向に沿った方向に幅広にして備えていて、この三角形状部分１９の基端を、一方の袋側面５側のシール辺２２としている。そして、図１から図３に示すように自立包装袋１では一方の袋側面５が幅広の三角形状部分１９の基部である前記シール辺２２を下辺側として起立した状態となっていて、略矩形状とされた袋底部１４の前記剛性が高い三角形状部分１９を接地させて、また、上記シート部分１６とシート部分１７と他方の袋側面８側のシート部分１８を接地させることで、充填済みの本自立包装袋１が安定して自立するものとなる。
【００３８】
また、一方の袋側面５の上方に注出口栓３が位置されていて、注出口栓３と一方の袋側面５とに対して袋幅方向で反対側に配置されている上記取っ手１１に手を掛けて持ち上げ、注出口栓３が下となるように傾けることで、ブロー容器のようにして収容物を簡単に注出することができるものとなる。
【００３９】
（三角形状部分）
上記三角形状部分１９は、袋底部１４の形成に際して袋正面４と袋背面６との間を開くことで、一方の袋側面５における袋胴部２の下部側のシート部分２０が、図４に示されているように、袋正面４と袋背面６とのそれぞれにおける袋胴部２の下部側の上記シート部分１６、１７に重なり、前記シート部分２０をシート部分１６、１７に重ね合わせた状態でヒートシールして剛性を高めて薄板状にしたものであり、略三角形状にして上述のように袋正面４と袋背面６とが離間した方向で幅広としている。
【００４０】
そして、上記三角形状部分１９がシール辺２２の部分から袋底部１４側に折り重ねられて、袋底部１４の下面にホットメルトなどの接着剤を介して貼り合わされて圧着固定されており、この三角形状部分１９を含む袋底部１４の平面視形状を上述のように略矩形状とし、この袋底部１４での一方の袋側面５側としたシール辺２２を、袋正面４と袋背面６との対向方向に沿って連続する箇所として構成されている。
【００４１】
（下辺シール部分による傾倒抑止手段）
上記袋底部１４には、一方の袋側面５を略起立状態にして袋幅方向での外方に向けて傾倒しないようにする傾倒抑止手段２１が備えられている。前記傾倒抑止手段２１は、袋底部１４の袋幅方向であって袋底部１４の中央を通って上記三角形状部分１９にも及ぶ位置となる上記下辺シール部分１５からなるものである。そして、図５において袋底部の形成前である扁平な袋体の形態で示されているように、折り込んだマチシート９を間にして二つ折りにより相対した本体シート７の下辺に沿ってヒートシールするときに、そのシール箇所の袋胴部２の高さ方向に対する傾斜角度θを鋭角にし一方の袋側面５側となる部分に向けて下り傾斜して前記下辺シール部分１５が得られるようにしている。なお、図５において袋胴部２の高さ方向を矢印にて示した。
【００４２】
袋底部１４が傾倒抑止手段２１を備えて形成されることの有用な点はつぎの通りである。略矩形状となっている袋底部１４に対し、袋上部１２は注出口栓３が存在するものの、袋幅方向に沿って平たい扁平な形態となっていることから、一方の袋側面５は袋幅方向での外方に傾いた面として形成される。そして、収容物が充填されている時点では袋胴部２が胴膨れし易く、外方に傾いている一方の袋側面５が胴膨れして袋縦方向にも丸味を帯びた傾斜面となると、この一方の袋側面５の外方への傾きが大きくなって倒れる可能性がある。
【００４３】
そこで、袋胴部２の高さ方向に対する傾斜角度を鋭角にし一方の袋側面５側となる部分に向けて下り傾斜した下辺シール部分１５からなる傾倒抑止手段２１を備えていて、傾倒抑止手段２１を、前記傾斜角度を鋭角にして形成した下辺シール部分１５からなるものとすることで、一方の袋側面５が起立する度合の高い形態の自立包装袋が得られる。
【００４４】
さらに、下辺シール部分１５が袋胴部２の下部をヒートシールしてなるものであることから、上述したように下辺シール部分１５は三角形状部分１９にも位置し、この三角形状部分１９を袋底部１４の下辺シール部分１５が位置している部分に折り重ねて、袋底部１４の下面に対して貼り合わせし圧着固定している。そのため、三角形状部分１９の下面には下辺シール部分１５が非表出されており、三角形状部分１９の位置で下辺シール部分１５が表出することでの凸凹が生じないようにしている。勿論、上記傾倒抑止手段２１の作用がなくなるになるわけではない。
【００４５】
（製造方法）
図６から図９は上記自立包装袋１の製造の順序を示していて、収容物が充填された注出口栓付きの自立包装袋１の製造の一例を説明する。
（ａ）まず、ストッカーからバキューム機器などを用いて袋体２３を一体ずつ取り出して次工程へと送り出す。このときの袋体２３は扁平な形態であって、一枚の本体シート７が二つ折りされているとともに、その内側に上記他方の袋側面８のマチシート９が二つ折りの状態で配置され、本体シート７の側辺とマチシート９の側辺とをヒートシールした側辺シール部分１０を備える。また、マチシート９を内側に配した状態で本体シート７の下辺に沿った部分がヒートシールされ、これによって本体シート７とマチシート９とからなる袋胴部２の下部に上記下辺シール部分１５を備えている。（図６）
【００４６】
（ｂ）つぎに袋体２３での袋胴部２の上部における一方の袋側面となる側を斜めにカットし、この辺部を注出口栓の取り付け部分として形成する。（図６）
（ｃ）注出口栓取付部分を形成した後に袋胴部２の内側に、一方の袋側面となる側にして袋底部形成手段２４を挿入する（図４参照）。袋底部形成手段２４は、袋胴部２の内側へ入り込むことで袋正面と袋背面とが対向方向に離間するようにこの袋胴部２の内側を広げ、この袋正面と袋背面とが離れるように開くことで上述のように下辺シール部分１５の位置を中心として袋正面下部と袋背面下部とを平面方向に展開する。
【００４７】
上記袋正面と袋背面とが離れるように開くことで一方の袋側面が展開された状態でとなり、また、折り畳まれていたマチシート９も袋正面と袋背面との間の開きによって他方の袋側面として展開され、マチシート９の下部である他方の袋側面に繋がる袋胴部下部側のシート部分も平面方向に展開される状態となり、これによって袋底部１４が形成される。（図６）
【００４８】
上記袋底部形成手段２４は袋正面と袋背面とを離間させる距離に応じた寸法形状を有する一つの柱状の形状を呈するものとしたり、対となる部材であって袋胴部２の内部に進み入るときにその対となる部材が正面と袋背面とを離間させる距離に応じるように離れる機構を有するものであってもよいものである。また、袋胴部２の内側へ袋底部形成手段２４を進み入れる際に空気を吹き入れるようにすることも良好である。
【００４９】
（ｄ）上述したように袋底部形成手段２４を挿入して袋底部１４を展開させるとともに、袋胴部２での一方の袋側面側も展開させることで、袋正面下部と袋背面下部とに一方の袋側面下部とが重なった上記三角形状部分１９が形成され、この三角形状部分１９が袋底部１４に連続した状態となる。そして、前記三角形状部分１９をヒートシール２５して薄板状にする。このヒートシールによって三角形状部分１９の基端にシール辺２２が形成され、このシール辺２２が袋底部２の一方の袋側面側の一辺となり、またその一方の袋側面の下辺側となる。（図７）
【００５０】
（ｅ）ヒートシール２５にて薄板状にした三角形状部分１９を冷却させた後、三角形状部分１９やこの三角形状部分１９を袋底部１４に折り重ねときの対応箇所にホットメルトなどの接着剤を塗布２６する。（図７）
【００５１】
（ｆ）上記接着剤の塗布を行なった後に三角形状部分１９を、該三角形状部分１９と袋底部１４との境界（即ち、シール辺２２）に袋胴部２の内側から上記袋底辺形成手段２４を対応位置させた状態で前記境界から袋底部１４の下面に折り重ねる。そして、三角形状部分１９と袋底部１４とを袋底部形成手段２４と圧着手段２７とで挟み込みをする。
【００５２】
この挟み込みにより、接着剤を介在させた状態で三角形状部分１９を袋底部１４の下面に貼り合わせし圧着固定する。このようにして袋底部形成手段２４をあてがった状態で三角形状部分１９の折り重ねをすることで、袋底部１４における一方の袋側面５側に袋正面と袋背面との対向方向に沿うシール辺２２を有する三角形状部分１９を、袋底部１４に一体とする。（図７）
【００５３】
上記三角形状部分１９は、袋底部１４の下辺シール部分が位置している領域に重ねるようにして折り重ねており、三角形状部分１９の下面については下辺シール部分を非表出となる。上記圧着手段２７自体は三角形状部分１９を押し付ける機構を有する機器としたり、或いは袋底部形成手段２４からの圧力を受けて支える台座などとすることも可能である。
【００５４】
（ｇ）上記三角形状部分１９の圧着固定を行なった後に袋底部形成手段２４を袋胴部２から抜く。なお、袋胴部２の下部を展開して袋底部１４がよりスムーズに得られるようにするために、他方の袋側面側についても袋正面と袋背面との間を開くようにする手段を、袋底部形成手段２４とともに挿入させるようにすることも可能である。（図８）
【００５５】
（ｈ）袋底部形成手段２４が退避した袋体２３での注出口栓取付部分、即ち、袋胴部２の上部において傾斜してカットして得られた一方の袋側面での上辺の折り合わせとなる部分に注出口栓３をセットし溶着固定する。この注出口栓３の溶着固定を行なった後には、注出口栓３及び取付部分を冷却する。（図８）
【００５６】
（ｉ）以上までの時点では袋胴部２の上部における注出口栓取付部分以外の箇所は未シールとなっており、この未シールの辺部を充填口にして開いて、収容物の充填２８を行なう。（図８）
【００５７】
（ｊ）充填後、袋胴部２の上部での注出口栓取付部分以外で充填口として未シールとされていた辺部をヒートシール２９し、そのヒートシール箇所を冷却する。これによって収容物が充填された注出口栓付きの自立包装袋１が得られる。（図９）
【００５８】
袋胴部２の上部でのヒートシール２９において、充填口としていた部分の貼り合わせと同時に袋側辺シール部分１０の上辺同士（マチシートの上辺同士）の接合も行なうようにしてもよい。
【００５９】
以上のように注出口栓の取付側となる一方の袋側面に連続する三角形状部分１９を袋底部に折り重ねて圧着しているので、収容袋の自立性が頗る良好になり、そして、三角形状部分の折り重ねにより袋正面と袋背面との対向方向に沿う上記シール辺２２を袋底部１４の一辺側としているので、袋底部１４が平面方向に広く展開されることとなり、袋底部側で効率よく収容物を収める空間を備えた自立包装袋１が得られる。
【００６０】
（他の実施の例）
上記実施の例では、段階（ｄ）において得られる三角形状部分１９に対しては、段階（ｅ）にて下方から接着剤を塗布し、段階（ｆ）にて袋底部１４の下面に向けて折り返してから袋底部１４に圧着して三角形状部分１９を一体としているが、本発明はこの実施の例に限定されるものではない。
【００６１】
この他の例は、段階（ｄ′）として、ヒートシールした三角形状部分１９での基端の部分以外を切除３０し、これによってシール辺２２を袋正面と袋背面との対向方向に沿う細幅の帯状にするものである。（図１０、図１１）
【００６２】
この場合、段階（ｄ′）の後は、接着剤の塗布と袋底部下面への三角形状部分の一体化の段階を省き、段階（ｇ）の袋底部形成手段の退避に工程が移行し、それ以降は上述の例と同じとすることで、袋底部の一方の袋側面側にシール辺２２を配した自立包装袋１が得られるものとなる。
【００６３】
そして、この例においても注出口栓の取付側となる一方の袋側面に連続する上記シール辺２２を袋底部１４の一辺側としているので、自立性が良好であるとともに、袋底部１４が平面方向に広く展開されることとなり、袋底部側で効率よく収容物を収める空間を備えた自立包装袋１が得られる。
【符号の説明】
【００６４】
１…自立包装袋
２…袋胴部
３…注出口栓
４…袋正面
５…一方の袋側面
６…袋背面
７…本体シート
８…他方の袋側面
９…マチシート
１０…側辺シール部分
１２…袋上部
１３…上辺シール部分
１４…袋底部
１５…下辺シール部分
１６…袋底部での袋正面につながる袋胴部の下部側のシート部分（袋正面下部）
１７…袋底部での袋背面につながる袋胴部の下部側のシート部分（袋背面下部）
１８…袋底部での他方の袋側面につながる袋胴部の下部側のシート部分
１９…三角形状部分
２０…一方の袋側面につながる袋胴部の下部側のシート部分（一方の袋素側面下部）
２２…シール辺
２３…袋体
２４…袋底部形成手段
２５…ヒートシール
２６…接着剤の塗布
２７…圧着手段
２８…収容物の充填
２９…ヒートシール
３０…切除
【図１】
0006672650.tif 000002
【図２】
0006672650.tif 000003
【図３】
0006672650.tif 000004
【図４】
0006672650.tif 000005
【図５】
0006672650.tif 000006
【図６】
0006672650.tif 000007
【図７】
0006672650.tif 000008
【図８】
0006672650.tif 000009
【図９】
0006672650.tif 000010
【図１０】
0006672650.tif 000011
【図１１】
0006672650.tif 000012